(57)【要約】【課題】結合部材として他の部材を必要とせず、周囲枠の形成が容易な枠結合構造および枠結合具を提供する。【解決手段】周囲枠は、略矩形板状に形成された第１枠壁部材２０と、略矩形板状に形成された第２枠壁部材３０とを対向させて結合して矩形状の周囲枠が形成されている。第１枠壁部材２０には、側端部から突出し、かつ先端が第２枠壁部材３０側に屈曲し、内側に嵌合空間Ｓ１が形成された側端第１屈曲部２２と、枠内方向に突出して側端第２屈曲部３２の枠内方向への移動を阻止する上端第１屈曲部２３および下端部第１屈曲部とが形成されている。第２枠壁部材４０には、側端部から突出し、かつ先端が枠外方向に屈曲して嵌合空間Ｓ１に嵌挿される側端第２屈曲部３２と、枠内方向に突出して上端第１屈曲部２３および下端部第１屈曲部の枠内方向への移動を阻止する上端第２屈曲部３３および下端部第２屈曲部とが形成されている。【選択図】図３
2010259413.tif 000002
【特許請求の範囲】
【請求項１】
略矩形板状に形成された一方の枠壁部材と、略矩形板状に形成された他方の枠壁部材とを結合して周囲枠のコーナー部が形成される枠結合構造において、
前記一方の枠壁部材の側端部から突出し、かつ先端が前記他方の枠壁部材側に屈曲し、内側に嵌合空間が形成された側端第１屈曲部と、
前記他方の枠壁部材の側端部から突出し、かつ先端が枠外方向に屈曲して前記嵌合空間に嵌挿される側端第２屈曲部と、
前記一方の枠壁部材の枠内方向に突出して前記側端第２屈曲部の枠内方向への移動を阻止する第１突出部と、
前記他方の枠壁部材の枠内方向に突出して前記第１突出部の枠内方向への移動を阻止する第２突出部とを備えたことを特徴とする枠結合構造。
【請求項２】
前記第１突出部および前記第２突出部は、両方の枠壁部材のそれぞれの上端部から枠内方向に突出させた上端屈曲部と、前記両方の枠壁部材のそれぞれの下端部から枠内方向に突出させた下端屈曲部とで形成されている請求項１記載の枠結合構造。
【請求項３】
前記第１突出部および前記第２突出部は、両方の枠壁部材のそれぞれの上端部から枠内方向に突出させた上端屈曲部で形成され、
前記両方の枠壁部材のそれぞれの下端部は、平板状に形成されている請求項１記載の枠結合構造。
【請求項４】
一方の枠壁部材の内側面または外側面のいずれかの端部に装着される一方の結合具と、他方の枠壁部材の内側面または外側面のいずれかの端部に装着される他方の結合具とを結合して周囲枠のコーナー部が形成される枠結合具において、
前記一方の結合具には、
前記一方の枠壁部材の側端面から突出し、かつ先端が前記他方の枠壁部材側に屈曲し、内側に嵌合空間が形成された側端第１屈曲部と、
枠内方向に突出して前記他方の結合具の枠内方向への移動を阻止する第１突出部とが設けられ、
前記他方の結合部には、
前記他方の枠壁部材の側端面から突出し、かつ先端が枠外方向に屈曲して前記嵌合空間に嵌挿される側端第２屈曲部と、
枠内方向に突出して前記一方の結合具の枠内方向への移動を阻止する第２突出部とが設けられたことを特徴とする枠結合具。
【請求項５】
前記第１突出部および／または前記第２突出部は、両方の結合具の内側面に上下方向に延びる板体で形成されている請求項４記載の枠結合具。
【請求項６】
一方の枠壁部材に他方の枠壁部材の側端面を突き合わせて周囲枠のコーナー部を形成するために、前記枠壁部材の外側面または内側面に装着される一方の結合具と他方の結合具とを備えた枠結合具において、
前記一方の結合具には、先端が前記他方の結合具側に屈曲し、内側に嵌合空間が形成された側端第１屈曲部が設けられ、
前記他方の結合具には、先端が枠外方向に屈曲して前記嵌合空間に嵌挿される側端第２屈曲部が設けられていることを特徴とする枠結合具。
【発明の詳細な説明】
【技術分野】
【０００１】
本発明は、一方の枠壁部材と他方の枠壁部材とを組み合わせて周囲枠のコーナー部を形成する枠結合の技術に関するものである。
【背景技術】
【０００２】
一般家庭の庭や、週末農園・市民農園と称される貸し農園では、畦をつくり、苗を植えて作物を収穫することが行われている。しかし、地盤に盛土された畝は、雨水によって流れやすく、形状が維持できないことがある。そこで、枠壁部材を組み立て周囲枠を形成し、畝を囲うことにより、畝からの盛土の流出を防止するものが知られている。
【０００３】
例えば、特許文献１には、上下に貫通する棒挿通孔が長さ方向に一定ピッチで設けられた土留枠を地面上に前後左右四辺の矩形状に配置して、土留周囲枠を形成すると共に、各土留枠の所要の棒挿通孔に土留枠固定棒を挿通し、その下方部を地中に貫入し、土留周囲枠内に土を入れることによって形成した菜壇が記載されている。
【０００４】
また、他の周囲枠として、植木鉢を囲うものではあるが、特許文献２には、植木鉢の周囲を囲むように、底板に対して着脱自在に組み立てられ、隣接する側板に凸部と凹部とが噛み合うように組み合わされる複数の側板と、側板相互と底板とを組立て自在に連結する連結ロッドとを有する植木鉢保護枠体が記載されている。
【０００５】
更に、畝を囲うものではないが、特許文献３には、客土されると共に芝が植生される四角形状に区切られた複数の客土保持空間を構成するために、帯状に形成され、かつ、互いに嵌合交差可能に複数のスリットが設けられた客土保持部材を組み立てたグラスパーキングの地盤用客土保持枠体が記載されている。
【先行技術文献】
【特許文献】
【０００６】
【特許文献１】特開２００４−３３０８７号公報
【特許文献２】特開平１０−２９５１９２号公報
【特許文献３】特開２００９−５５８６８号公報
【発明の概要】
【発明が解決しようとする課題】
【０００７】
しかし、特許文献１，２に記載の従来の枠結合構造では、一方の枠壁部材と他方の枠壁部材とを連結するために、土留枠固定棒や連結ロッドなどの棒状部材を用いているため、枠壁部材の他に、他の部材が必要である。
【０００８】
また、特許文献３では、客土保持部材（枠壁部材）のそれぞれに形成されたスリットを嵌合交差させることで組み立てられる。従って、枠壁部材同士を組み合わせてＬ字状とした後に、更に枠壁部材を組み合わせてコ字状とするときに、既に嵌め込み合わせた枠壁部材のスリットが下方に向かって開口している場合には、組み上がっているＬ字状とした枠壁部材を持ち上げ、上方に向かって開口するスリットが設けられた新たな枠壁部材を下に置いて嵌入させる必要がある。つまり、長尺の畝を囲うような周囲枠を形成するためには、枠壁部材も長くなるので、枠壁部材の一端部を持ち上げ嵌め込もうとすると、撓みやよじれなどが発生するおそれがあり、取り扱いが煩雑となる。
【０００９】
そこで本発明は、結合部材として他の部材を必要とせず、周囲枠の形成が容易な枠結合構造および枠結合具を提供することを目的とする。
【課題を解決するための手段】
【００１０】
本発明の枠結合構造は、略矩形板状に形成された一方の枠壁部材と、略矩形板状に形成された他方の枠壁部材とを結合して周囲枠のコーナー部が形成される枠結合構造において、前記一方の枠壁部材の側端部から突出し、かつ先端が前記他方の枠壁部材側に屈曲し、内側に嵌合空間が形成された側端第１屈曲部と、前記他方の枠壁部材の側端部から突出し、かつ先端が枠外方向に屈曲して前記嵌合空間に嵌挿される側端第２屈曲部と、前記一方の枠壁部材の枠内方向に突出して前記側端第２屈曲部の枠内方向への移動を阻止する第１突出部と、前記他方の枠壁部材の枠内方向に突出して前記第１突出部の枠内方向への移動を阻止する第２突出部とを備えたことを特徴とする。
【００１１】
本発明の枠結合構造は、地盤に載置した一方の枠壁部材の側端部から突出した側端第１屈曲部による嵌挿空間に、他方の枠壁部材の側端部に設けられた側端第２屈曲部を、上方から嵌挿することで、一方の枠壁部材と他方の枠壁部材とは枠外方向の移動が阻止される。側端第１屈曲部に側端第２屈曲部が嵌挿されると、側端第２屈曲部は第１突出部により枠内方向への移動が阻止され、側端第１屈曲部は第２突出部により枠内方向への移動が阻止される。従って、単に一方の枠壁部材に上方から他方の枠壁部材を嵌め込むだけで、両方の枠壁部材同士が噛み合ってＬ字状に固定される。そして、嵌め込んだ他方の枠壁部材の第２屈曲部に一方の枠壁部材の第１屈曲部を上方から嵌め込む。または嵌め込んだ一方の枠壁部材の第１屈曲部に他方の枠壁部材の第２屈曲部を上方から嵌め込む。このように本発明の枠結合構造は、しっかりと地盤に立設して、畦を形成する盛土の流出を防止することができる。従って、嵌め込み終わった枠壁部材を持ち上げることなく、周囲枠を組み立てることができる。
【００１２】
前記第１突出部および前記第２突出部は、両方の枠壁部材のそれぞれの上端部から枠内方向に突出させた上端屈曲部と、前記両方の枠壁部材のそれぞれの下端部から枠内方向に突出させた下端屈曲部とで形成されているのが望ましい。
第１突出部および第２突出部が、両方の枠壁部材のそれぞれの上端部および下端部から枠内方向に突出させた上端屈曲部および下端屈曲部から形成されていると、一枚の板から折り曲げ加工にて第１突出部および第２突出部を形成することができる。
【００１３】
前記第１突出部および前記第２突出部は、両方の枠壁部材のそれぞれの上端部から枠内方向に突出させた上端屈曲部で形成され、前記両方の枠壁部材のそれぞれの下端部は、平板状に形成されているのが望ましい。
一方の枠壁部材および他方の枠壁部材を組み合わせて周囲枠を形成し、地盤に立てた後に、そのまま下方へ押し込めば、下端部が平板状なので地盤に入り込ませることができる。
【００１４】
また、本発明の枠結合具は、一方の枠壁部材の内側面または外側面のいずれかの端部に装着される一方の結合具と、他方の枠壁部材の内側面または外側面のいずれかの端部に装着される他方の結合具とを結合して周囲枠のコーナー部が形成される枠結合具において、前記一方の結合具には、前記一方の枠壁部材の側端面から突出し、かつ先端が前記他方の枠壁部材側に屈曲し、内側に嵌合空間が形成された側端第１屈曲部と、枠内方向に突出して前記他方の結合具の枠内方向への移動を阻止する第１突出部とが設けられ、前記他方の結合部には、前記他方の枠壁部材の側端面から突出し、かつ先端が枠外方向に屈曲して前記嵌合空間に嵌挿される側端第２屈曲部と、枠内方向に突出して前記一方の結合具の枠内方向への移動を阻止する第２突出部とが設けられたことを特徴とする。
【００１５】
本発明の枠結合具は、一方の枠壁部材の側端面から突出し、先端が他方の枠壁部材側に屈曲した側端第１屈曲部によりできる嵌挿空間に、他方の枠壁部材の側端面から突出した側端第２屈曲部を嵌挿することで、一方の枠壁部材と他方の枠壁部材とは枠外方向の移動が阻止される。側端第１屈曲部に側端第２屈曲部が嵌挿されると、側端第２屈曲部は第１突出部により枠内方向への移動が阻止され、側端第１屈曲部は第２突出部により枠内方向への移動が阻止される。従って、単に一方の結合具を他方の結合具に嵌め込むだけで、両方の結合具同士が噛み合ってＬ字状に固定される。そして、嵌め込んだ他方の枠結合具の第２屈曲部に一方の枠結合具の第１屈曲部を上方から嵌め込む。または嵌め込んだ一方の枠結合具の第１屈曲部に他方の枠結合具の第２屈曲部を上方から嵌め込む。このように本発明の枠結合具は、しっかりと地盤に立設して、畦を形成する盛土の流出を防止することができる。従って、嵌め込み終わった枠壁部材を持ち上げることなく、周囲枠を組み立てることができる。
【００１６】
前記第１突出部および／または前記第２突出部は、両方の結合具の内側面に上下方向に延びる板体で形成されているのが望ましい。第１突出部や第２突出部が上下方向に延びる板体で形成されていると、側端第１屈曲部や側端第２屈曲部と共に、両方の結合具を押出成形で形成することができるので、量産性に優れる。
【００１７】
また、本発明の枠結合具は、一方の枠壁部材に他方の枠壁部材の側端面を突き合わせて周囲枠のコーナー部を形成するために、前記枠壁部材の外側面または内側面に装着される一方の結合具と他方の結合具とを備えた枠結合具において、前記一方の結合具には、先端が前記他方の結合具側に屈曲し、内側に嵌合空間が形成された側端第１屈曲部が設けられ、前記他方の結合具には、先端が枠外方向に屈曲して前記嵌合空間に嵌挿される側端第２屈曲部が設けられていることを特徴とする。
【００１８】
本発明の枠結合具は、一方の結合具と他方の結合具とが、一方の枠壁部材に他方の枠壁部材の側端面を突き合わせてできる周囲枠のコーナー部の外側面または内側面に装着される。この２つの結合具を枠壁部材に装着する際に、一方の結合具を一方の枠壁部材の外側面に装着し、他方の結合具を他方の枠壁部材の外側面に装着すると、側端第１屈曲部によりできる嵌挿空間に、他方の結合具の側端部に設けられた側端第２屈曲部を嵌挿することで、一方の枠壁部材と他方の枠壁部材とは枠外方向の移動が阻止される。一方の枠壁部材は他方の枠壁部材の側端面が突き当たっていることで枠内方向の移動が阻止され、他方の枠壁部材は側端第２屈曲部が一方の枠壁部材に突き当たることで、枠内方向の移動が阻止される。
次に、一方の結合具を他方の枠壁部材の外側面に装着し、他方の結合具を一方の枠壁部材の外側面に装着した場合には、一方の枠壁部材は他方の枠壁部材の側端面が突き当たっていることで枠内方向の移動が阻止され、他方の枠壁部材は側端第１屈曲部が一方の枠壁部材に突き当たることで、枠内方向の移動が阻止される。
次に、一方の結合具を一方の枠壁部材の内側面に装着し、他方の結合具を他方の枠壁部材の内側面に装着した場合には、一方の枠壁部材は他方の枠壁部材の側端面が突き当たっていることで枠内方向の移動が阻止され、他方の枠壁部材は側端第１屈曲部が側端第２屈曲部に突き当たることで枠内方向への移動が阻止される。
更に、一方の結合具を他方の枠壁部材の内側面に装着し、他方の結合具を一方の枠壁部材の内側面に装着した場合には、一方の枠壁部材は他方の枠壁部材の側端面が突き当たっていることで枠内方向の移動が阻止され、他方の枠壁部材は他方の枠壁部材が側端第１屈曲部に突き当たることで枠内方向への移動が阻止される。
このように、側端第１屈曲部に側端第２屈曲部を嵌挿することで、一方の枠壁部材と他方の枠壁部材とは枠外方向の移動が阻止されると共に、枠壁部材同士により枠内方向への移動が阻止されるので、単に一方の結合具を他方の結合具に嵌め込むだけ、両方の結合具同士が噛み合ってＬ字状に固定される。このように本発明の枠結合具は、しっかりと地盤に立設して、畦を形成する盛土の流出を防止することができる。
【発明の効果】
【００１９】
本発明は、しっかりと地盤に立設して、畦を形成する盛土の流出を防止することができ、嵌め込み終わった枠壁部材を持ち上げることなく、周囲枠を組み立てることができる。よって、本発明は、結合部材として他の部材を必要とせず、周囲枠の形成が容易である。
【図面の簡単な説明】
【００２０】
【図１】本発明の実施の形態１に係る周囲枠を示す斜視図である。
【図２】（Ａ）は、図１に示す周囲枠の第１枠壁部材を示す一部斜視図、（Ｂ）は、図１に示す周囲枠の第２枠壁部材を示す一部斜視図である。
【図３】図１に示す周囲枠の結合状態を説明するための一部平面図である。
【図４】（Ａ）〜（Ｃ）は周囲枠の組立方法を説明するための図である。
【図５】本発明の実施の形態２に係る周囲枠を示す概略斜視図である。
【図６】図５に示す周囲枠に用いられる枠結合具を示す図であり、（Ａ）は第１結合具を示す斜視図、（Ｂ）は第２結合具を示す斜視図である。
【図７】図５に示す周囲枠の結合状態を説明するための一部平面図である。
【図８】本発明の実施の形態２に係る周囲枠の変形例を示す斜視図である。
【図９】本発明の実施の形態３に係る周囲枠の結合状態を説明するための一部平面図である。
【図１０】本発明の実施の形態４に係る周囲枠の結合状態を説明するための一部平面図である。
【図１１】本発明の実施の形態４に係る結合具の第１変形例を示す一部平面図である。
【図１２】本発明の実施の形態４に係る結合具の第２変形例を示す一部平面図である。
【発明を実施するための形態】
【００２１】
（実施の形態１）
本発明の実施の形態１に係る枠結合構造について、畦を囲う周囲枠を例に、図面に基づいて説明する。
図１に示すように周囲枠１０は、畝を囲うことで盛土の流出を防止し、畦の形状を維持するものである。周囲枠１０は、２枚を対向させた一方の枠壁部材である第１枠壁部材２０と、その間を繋ぐ２枚の他方の枠壁部材である第２枠壁部材３０とを組み合わせることで形成されている。第１枠壁部材２０と第２枠壁部材３０とは略矩形板状に形成されている。
【００２２】
図２（Ａ）に示すように第１枠壁部材２０は、第１枠壁部材本体２１と、側端第１屈曲部２２と、上端第１屈曲部２３と、下端第１屈曲部２４とを備えている。第１枠壁部材２０は、一枚の亜鉛めっき鋼板の４つの角部をＬ字状に切断し、中央に位置する矩形状の第１枠壁部材本体２１以外の上端部、下端部および両側端部をそれぞれに折り曲げることで、側端第１屈曲部２２と上端第１屈曲部２３と下端第１屈曲部２４とが形成されている。
【００２３】
側端第１屈曲部２２は、矩形状の第１枠壁部材本体２１の両方の側端部の全部が突出し、先端が第２枠壁部材３０側に鋭角に屈曲することで、平面視略Ｊ字状に形成され、嵌挿空間Ｓ１が形成されている。
【００２４】
上端第１屈曲部２３は、第１枠壁部材本体の上端部に設けられ、全部が枠内方向に突出し、かつ屈曲して第１突出部として機能するものである。この上端第１屈曲部２３には、第１枠壁部材本体２１の上端から枠内の水平方向に向かって設けられた上端水平板部２３ａと、上端水平板部２３ａの先端から下方に向かって設けられた上端垂直板部２３ｂとで形成されている。
【００２５】
下端第１屈曲部２４は、第１枠壁部材本体２１の下端部に設けられ、全部が枠内方向に突出し、かつ屈曲して第１突出部として機能するものである。この下端第１屈曲部２４には、第１枠壁部材本体２１の下端から枠内の水平方向に向かって設けられた下端水平板部２４ａと、下端水平板部２４ａの先端から上方に向かって設けられた下端垂直板部２４ｂとで形成されている。下端部第１屈曲部２４は、上端第１屈曲部２３と同じ突出長さに形成されている。
【００２６】
図２（Ｂ）に示すように第２枠壁部材３０は、第２枠壁部材本体３１と、側端第２屈曲部３２と、上端第２屈曲部３３と、下端第２屈曲部３４とを備えている。第２枠壁部材３０は、第１枠壁部材２０と同様に、一枚の亜鉛めっき鋼板の４つの角部をＬ字状に切断し、中央に位置する矩形状の第２枠壁部材本体３１以外の上端部、下端部および両側端部をそれぞれに折り曲げることで、側端第２屈曲部３２と上端第２屈曲部３３と下端第２屈曲部３４とが形成されている。
【００２７】
側端第２屈曲部３２は、第２枠壁部材本体３１の両方の側端部の全部が突出し、先端が枠外方向に略直角に屈曲することで、平面視略Ｌ字状に形成され、側端第１屈曲部２２の嵌挿空間Ｓ１に嵌挿される。
【００２８】
上端第２屈曲部３３は、第２枠壁部材本体３１の上端部に設けられ、全部が枠内方向に突出し、かつ屈曲して第２突出部として機能するものである。この上端第２屈曲部３３には、第２枠壁部材本体３１の上端から枠内の水平方向に向かって設けられた上端水平板部３３ａと、上端水平板部３３ａの先端から下方に向かって設けられた上端垂直板部３３ｂとで形成されている。上端第２屈曲部３３の側端面３３ｃから側端第２屈曲部３２の曲げ位置までの長さは、第１枠壁部材２０に形成された上端第１屈曲部２３の上端水平板部２３ａの長さに形成されている。
【００２９】
下端第２屈曲部３４は、第２枠壁部材本体３１の下端部に設けられ、全部が枠内方向に突出し、かつ屈曲して第２突出部として機能するものである。この下端第２屈曲部３４には、第２枠壁部材本体３１の下端から枠内の水平方向に向かって設けられた下端水平板部３４ａと、下端水平板部３４ａの先端から上方に向かって設けられた下端垂直板部３４ｂとで形成されている。
【００３０】
以上のように構成された本発明の実施の形態１に係る周囲枠の組立方法を、図面に基づいて説明する。
まず、一組の第１枠壁部材２０と第２枠壁部材３０とを用意する。そして、図３に示すように第１枠壁部材２０を地盤に立設した状態で、第１枠壁部材２０に対してなす角が直角となるように第２枠壁部材３０を持ち、第２枠壁部材３０の側端第２屈曲部３２を第１枠壁部材２０の側端第１屈曲部２２の嵌挿空間Ｓ１に位置に合わせ、上方からスライドさせるように側端第２屈曲部３２の先端を側端第１屈曲部２２の嵌挿空間Ｓ１に嵌挿させる。第１枠壁部材２０には上端第１屈曲部２３および下端部第１屈曲部２４が、第２枠壁部材３０には上端第２屈曲部３３および下端部第２屈曲部３４が設けられているので、持ちやすい。
【００３１】
図３に示すように側端第２屈曲部３２が側端第１屈曲部２２に嵌挿することで、上端第１屈曲部２３の側端面２３ｃおよび下端第１屈曲部２４の側端面２４ｃ（図３では図示せず）が、側端第２屈曲部３２に突き当たる。従って、第２枠壁部材３０が枠内方向へ移動してしまうことが阻止される。また、上端第２屈曲部３３の側端面３３ｃが上端第１屈曲部２３に突き当たり、下端第２屈曲部３４の側端面３４ｃが下端第１屈曲部２４に突き当たる。従って、第１枠壁部材２０が枠内方向へ移動してしまうことが阻止される。従って、単に第１枠壁部材２０を第２枠壁部材３０に嵌め込むだけで、全体がしっかりとしたＬ字状となって地盤に立設する（図４（Ａ）参照）。
【００３２】
次に、第１枠壁部材２０と第２枠壁部材とを結合したことでＬ字状となったものに、第１枠壁部材２０または第２枠壁部材３０を嵌め込むが、この順番はいずれでもよい。そして、図４（Ｂ）に示すようにコ字状となった枠壁部材に、最後に残った枠壁部材を嵌め込み図４（Ｃ）に示す矩形状の周囲枠１０とする。
このように、それぞれの枠壁部材を上方からスライドさせるように順に嵌め込んでいけば、周囲枠１０が完成できるので、既に組み上がった枠壁部材を持ち上げる必要がない。従って、周囲枠１０の形成が容易である。また、枠壁部材の結合にピンや連結ロッドなどは必要がないので、結合部材として他の部材を必要としない。
【００３３】
本実施の形態１において、第１枠壁部材２０では、側端第１屈曲部２２、上端第１屈曲部２３および下端第２屈曲部２４として、第１枠壁部材本体２１の側端辺、上端辺および下端辺の全部が突出し、屈曲しているが、一部のみとしてもよい。また、第１枠壁部材２０でも、同様に、第２枠壁部材本体３１の側端辺、上端辺および下端辺の一部のみが突出し、屈曲していてもよい。
また、本実施の形態１では、上端第１屈曲部２３，下端第１屈曲部２４，上端第２屈曲部３３，下端第２屈曲部３４が下向きに開口するコ字状に形成されているが、斜め下方に向かうように折り曲げられていてもよい。
更に、第１枠壁部材２０の下端部第１屈曲部２４や、第２枠壁部材３０の下端部第２屈曲部３４を省略して、平板状とすることも可能である。そうすることで、第１枠壁部材２０および第２枠壁部材３０を組み合わせて周囲枠を形成し、地盤に立てた後に、そのまま下方へ押し込めば、下端部が平板状なので地盤に入り込ませることができる。
【００３４】
（実施の形態２）
本発明の実施の形態２に係る枠結合具について、図面に基づいて説明する。本実施の形態２に係る枠結合具により形成される周囲枠は、大判の枠壁部材で形成することで、災害で学校の体育館や公民館などに避難している避難者のプライバシーを守る間仕切りとして使用されるものである。
図５に示すように、周囲枠１０ｘは、高さが１．５ｍ、長さが２ｍの略矩形板状の枠壁部材４０が、枠結合具５０により連結されている。枠結合具５０は、第１結合具６０と第２結合具７０とにより構成されている。それぞれの長さは適宜決定することができるが、本実施の形態２では約１０ｃｍに形成されている。第１結合具６０および第２結合具７０は、アルミ製で押出成形により形成されている。
図６（Ａ）に示すように第１結合具６０は、第１結合具本体６１と、側端第１屈曲部６２と、第１突出部６３とを備えている。図７に示すように第１結合具６０は、枠壁部材４０の外側面４０ａの端部に、第１結合具本体６１に縦列に配置されたねじ孔６１ａに挿通させたねじＮによる第１取付部６４によりねじ止めされている。
側端第１屈曲部６２は、第１結合具６１の側端部の全部が枠壁部材４０の側端面より突出し、先端が枠壁部材４０側に延びた後、基端側へ延びて、全体として屈曲することで、平面視略コ字状に形成され、嵌挿空間Ｓ２が形成されている。
第１突出部６３は、第１結合具本体６１から枠内方向に突出した上下方向に延びる板体である。
【００３５】
図６（Ｂ）に示すように第２結合具７０は、第２結合具本体７１と、側端第２屈曲部７２と、第２突出部７３とを備えている。図７に示すように第２結合具７０は、第１結合具６０と同様に、枠壁部材４０の外側面４０ａの端部に、第２結合具本体７１に縦列に配置されたねじ孔７１ａに挿通させたねじＮによる第２取付部７４によりねじ止めされている。
側端第２屈曲部７２は、第２結合具本体７１の側端部の全部が枠壁部材４０の側端面より突出し、先端が枠外方向に略直角に屈曲することで、平面視略Ｌ字状に形成され、側端第１屈曲部６２の嵌挿空間Ｓ２に嵌挿される。
第２突出部７３は、第２結合具本体７１から枠内方向に突出した上下方向に延びる板体である。
【００３６】
以上のように構成された本発明の実施の形態２に係る枠結合具５０により周囲枠１０ｘの組立方法を、図面に基づいて説明する。
まず、第１結合具６０および第２結合具７０が、枠壁部材４０の両側端部に適当数設けられたものを準備する。次に、第２結合具７０が装着された枠壁部材４０を持ち上げ、枠壁部材４０に装着された第１結合具６０の側端第１屈曲部６２の嵌挿空間Ｓ２に、側端第２屈曲部７２の位置に合わせ、上方からスライドさせるように側端第２屈曲部３２の先端を側端第１屈曲部２２の嵌挿空間Ｓ２に、順に嵌挿させる。
【００３７】
図７に示すように、側端第２屈曲部７２が側端第１屈曲部６２に嵌挿することで、第１突出部６３の外側面６３ａが側端第２屈曲部７２に突き当たるので、第２連結具７０が装着された枠壁部材４０が枠内方向へ移動してしまうことが阻止される。また、第２突出部７３の外側面７３ａが第１突出部６３の先端面６３ｂに突き当たるので、第１連結具６０が装着された枠壁部材４０が枠内方向へ移動してしまうことが阻止される。従って、単に第１連結具６０を第２連結具７０に嵌め込むだけで、全体がしっかりとしたＬ字状となる。
この要領にて、もう一組の第１連結具６０が装着された枠壁部材４０と、第２連結具７０が装着された枠壁部材４０とを順番に、上方からスライドさせて嵌め込むことで、Ｌ字状の枠からコ字状に、そしてロ字状の周囲枠１０ｘとすることができる。
【００３８】
このように、それぞれの枠壁部材４０を上方からスライドさせるように順に嵌め込んでいけば、周囲枠１０ｘが完成できるので、既に組み上がった枠壁部材４０を持ち上げる必要がない。従って、周囲枠１０ｘの形成が容易である。また、枠壁部材４０の結合にピンや連結ロッドなどは必要がないので、結合部材として他の部材を必要としない。
【００３９】
なお、本実施の形態２では、第１結合具６０および第２結合具７０が、枠壁部材４０の両側端部に適当数設けられているが、枠壁部材４０の高さが低いようであれば、図８に示すように、枠壁部材４０の側端部全体の長さの第１結合具６０および第２結合具７０としてもよい。また、本実施の形態２では、第１結合具６０および第２結合具７０が枠壁部材４０の外側面に装着されていたが、第１突出部６３と第２突出部７３とが設けられているため、第１結合具６０と第２結合具７０との両方を枠壁部材４０の内側面に装着するようにしたり、第１結合具６０または第２結合具７０のいずれか一方を枠壁部材４０の内側面に、他方を外側面に装着するようにしてもよい。
【００４０】
（実施の形態３）
本発明の実施の形態３に係る枠結合具について、図面に基づいて説明する。なお、図９においては、図７と同じ構成のものは同符号を付して説明を省略する。
図９に示すように、本実施の形態３に係る枠結合具５０ｗは、第１結合具６０ｗおよび第２結合具７０ｗが、枠壁部材４１（一方の枠壁部材）に枠壁部材４２（他方の枠壁部材）の側端面を突き合わせて周囲枠のコーナー部とした枠壁部材４１，４２の外側面４０ａに装着されていることで、図７に示す枠結合具５０の第１突出部６３と第２突出部７４とを省略したものである。
【００４１】
つまり、第１結合具６０ｗは、第１取付部６４として機能するねじ孔６１ａに挿通させたねじＮにより、枠壁部材４１の外側面に装着されていることで、側端第２屈曲部７２は枠壁部材４１の側端面に突き当たり枠内方向の移動が阻止されるため、第１結合具６０ｗは、図７に示す第１突出部６３を省略することができる。また、第２結合具７０ｗは、第２取付部７４として機能するねじ孔７１ａに挿通させたねじＮにより、枠壁部材４２の外側面に装着されていることで、枠壁部材４１は枠壁部材４２の側端面に突き当たり枠内方向の移動が阻止されるため、第２結合具７０ｗは、図７に示す第２突出部７３を省略することできる。
【００４２】
このように、枠結合具５０ｗを構成することで、より簡易な形状とすることができ、枠壁部材４０の板厚に制限されることなく周囲枠を形成することができる。
なお、本実施の形態３では、枠壁部材４１に枠壁部材４２の側端面を突き合わせて周囲枠のコーナー部が形成されているが、枠壁部材４２に枠壁部材４１の側端面を突き合わせて周囲枠のコーナー部を形成してもよい。
【００４３】
（実施の形態４）
本発明の実施の形態４に係る枠結合具について、図面に基づいて説明する。なお、図１０においては、図７から図９と同じ構成のものは同符号を付して説明を省略する。
図１０に示すように本実施の形態４に係る枠結合具５０ｘは、第１結合具６０ｘおよび第２結合具７０ｘが、枠壁部材４１（一方の枠壁部材）に枠壁部材４２（他方の枠壁部材）の側端面を突き合わせて周囲枠のコーナー部とした枠壁部材４１，４２の内側面に装着されたものである。
第１結合具６０ｘは、先端が第２結合具７０ｘ側に鋭角に屈曲することで、平面視略Ｊ字状に形成された側端第１屈曲部６２ｘが設けられ、嵌挿空間Ｓ３が形成されている。第１結合具６０ｘは、枠壁部材４２の側端面から突出しないように装着されている。
第２結合具７０ｘは、ねじＮにより固定されている基端から先端に向かって徐々に枠壁部材４１の内側面から離れるように形成されている。第２結合具７０ｘには、先端が枠外方向に屈曲されることで、第１結合具６０ｘの側端第１屈曲部６２の嵌挿空間Ｓ３に嵌挿される側端第２屈曲部７２ｘが設けられている。
【００４４】
このように枠結合具５０ｘが構成されていることにより、側端第１屈曲部６２の嵌挿空間Ｓ３に側端第２屈曲部７２が嵌挿されているので、枠壁部材４１，４２は枠外方向への移動が阻止され、枠壁部材４２は枠内方向への移動も阻止される。また、枠壁部材４１は枠壁部材４２の側端面が突き当たっていることにより枠内方向への移動が阻止される。
【００４５】
ここで本実施の形態４に係る枠結合具の変形例について、図１１および図１２に基づいて説明する。
図１１に示す第１変形例の枠結合具５０ｙは、第１結合具６０ｙの側端第１屈曲部６２ｙと第２結合具７０ｙと側端第２屈曲部７２ｙが平面視略コ字状に形成され、側端第１屈曲部６２ｙの嵌挿空間Ｓ３に側端第２屈曲部７２ｙが嵌挿されている。このように、第１結合具６０ｙの側端第１屈曲部６２ｙと第２結合具７０ｙと側端第２屈曲部７２ｙが平面視略コ字状に形成されていても、図１０に示す枠結合具５０ｘと同じ作用効果を得ることができる。
【００４６】
また、図１２に示す第２変形例では、一方の枠壁部材として、枠壁部材４１ｚの内側端部が枠壁部材４２の厚み分と第１結合具６０ｘの側端第１屈曲部６２ｘの折れ曲がり分ほど切り欠かれたものを使用している。そして、他方の枠壁部材である枠壁部材４２の側端面を、枠壁部材４１の切り欠かれた部分に突き合わせている。このような枠壁部材４１ｚを用いることで、第２結合具７０ｚの側端第２屈曲部７２ｚを略Ｌ字状に形成することができ、折り曲げ回数を、図１０に示す第２結合具７０ｘや図１１に示す第２結合具７０ｙより少なくすることができる。従って、第１結合具６０ｘや第２結合具７０ｘを押出成形でなく、鋼板を手曲げや機械曲げにより製造する場合には有利である。
【００４７】
このように枠結合具５０ｘ〜５０ｚを、周囲枠のコーナー部とした枠壁部材の内側面に装着することも可能である。
なお、本実施の形態４では、枠壁部材４１，４１ｚに枠壁部材４２の側端面を突き合わせて周囲枠のコーナー部が形成されているが、枠壁部材４２（一方の枠壁部材）に枠壁部材４１，４１ｚ（他方の枠壁部材）の側端面を突き合わせて周囲枠のコーナー部を形成してもよい。その場合には、他方の枠壁部材は第１結合具６０ｘに突き当たることで、枠内方向への移動が阻止される。
【産業上の利用可能性】
【００４８】
本発明の枠結合構造は畝の周囲枠として好適であり、本発明の枠結合具は枠壁部材を間仕切りとして好適である他に、枠内に不透水シートを敷設した水槽や、災害時の浴槽とするための貯水枠、プランターとして用いるためのプランター枠、苗を生長させるための苗床枠、箱として用いるための周囲枠などに適用することができる。
【符号の説明】
【００４９】
１０，１０ｘ  周囲枠
２０  第１枠壁部材
２１  第１枠壁部材本体
２２  側端第１屈曲部
２３  上端第１屈曲部
２３ａ  上端水平板部
２３ｂ  上端垂直板部
２３ｃ  側端面
２４  下端第１屈曲部
２４ａ  下端水平板部
２４ｂ  下端垂直板部
３０  第２枠壁部材
３１  第２枠壁部材本体
３２  側端第２屈曲部
３３  上端第２屈曲部
３３ａ  上端水平板部
３３ｂ  上端垂直板部
３３ｃ  側端面
３４  下端第２屈曲部
３４ａ  下端水平板部
３４ｂ  下端垂直板部
３４ｃ  側端面
４０  枠壁部材
４０ａ  外側面
４０ｂ  側端面
５０，５０ｗ，５０ｘ，５０ｙ，５０ｚ  枠結合具
６０，６０ｗ，６０ｘ，６０ｙ  第１結合具
６１  第１結合具本体
６２，６２ｘ，６２ｙ  側端第１屈曲部
６３  第１突出部
６３ａ  外側面
６３ｂ  先端面
６４  第１取付部
７０，７０ｗ，７０ｘ，７０ｙ，７０ｚ  第２結合具
７１  第２結合具本体
７２，７２ｘ，７２ｙ  側端第２屈曲部
７３  第２突出部
７３ａ  外側面
７４  第２取付部
Ｓ１，Ｓ２，Ｓ３  嵌挿空間
【図１】
2010259413.tif 000003
【図２】
2010259413.tif 000004
【図３】
2010259413.tif 000005
【図４】
2010259413.tif 000006
【図５】
2010259413.tif 000007
【図６】
2010259413.tif 000008
【図７】
2010259413.tif 000009
【図８】
2010259413.tif 000010
【図９】
2010259413.tif 000011
【図１０】
2010259413.tif 000012
【図１１】
2010259413.tif 000013
【図１２】
2010259413.tif 000014